(57)【要約】【課題】フロスを張設したフロスホルダーを電動式のハンドピースに着脱自在に装着し、該ハンドピースを用いてフロッシングを行う。【解決手段】フロスホルダー２０は、モータ１１を内蔵し該モータの回転が該モータの回転軸１２に対して直角の方向に往復動する運動に変換されるハンドピース２０に着脱自在に装着される。フロスホルダー２０は、２等辺３角形の２辺を構成する２本の脚部２１ａ、２１ｂと、該２本の脚部の交点を一体的に固定しハンドピース１０に着脱自在に装着固定される連結固定部２２と、前記脚部２１ａ、２１ｂの先端部にフロス３０を張設固定するためのフロス固定部２３ａ、２３ｂを有する。【選択図】図１
2013099445.tif 000002
【特許請求の範囲】
【請求項１】
モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記各脚部の先端部にフロスを張設固定するためのフロス固定部を有することを特徴とする歯科用フロスホルダー。
【請求項２】
前記フロス固定部は、フロスを巻回張架する溝部を有し、該溝部は外周部より巻回軸心方向に向って溝幅が狭くなっており、該溝幅は、軸心近傍においてフロスの直径より狭くなっていることを特徴とする請求項１に記載の歯科用フロスホルダー。
【請求項３】
モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記脚部の先端部に着脱自在に装着固定されるフロス支持固定部材とから成り、該フロス支持固定部材は所定長さのフロスの両端部を支持固定したフロス支持固定部を有し、該フロス支持固定部を前記脚部先端部に着脱自在に装着し得るようにしたことを特徴とする歯科用フロスホルダー。
【請求項４】
前記フロスの所定長さは、前記フロス支持固定部を前記脚部先端部に装着した時に、フロスが前記脚部先端部間に張設される長さであることを特徴とする請求項３に記載の歯科用フロスホルダー。
【請求項５】
前記脚部は弾性部材により構成されており、前記フロス支持固定部間は前記脚部先端部間の間隔よりやや短く形成されており、前記フロス支持固定部材を前記脚部先端部に装着する際に、前記脚部を弾性変形させて前記脚部先端部間の間隔を短くして前記フロス支持固定部を前記脚部先端部に装着するようにしたことを特徴とする請求項３又は４に記載の歯科用フロスホルダー。
【請求項６】
モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記脚部の先端部間にフロスが固定支持されて張架されていることを特徴とする歯科用フロスホルダー。
【請求項７】
前記脚部の長さが異なる複数種のフロスホルダーを準備して有することを特徴とする請求項６に記載の歯科用フロスホルダー。
【発明の詳細な説明】
【技術分野】
【０００１】
本発明は、歯科用フロスホルダー、より詳細には、歯牙表面に付着した歯垢を除去するのに使用されるフロス（Dental Floss）を張架し、該張架したフロスを電気的に往復動可能とした歯科用フロスホルダーに関する。
【背景技術】
【０００２】
歯科治療においては、フロス（Dental Floss：ナイロンやポリエステル等の繊維を多数本合せて作られた歯間清掃専用の細い糸）を歯間に挿入し、歯ブラシでは届かない歯間の歯側面や歯間下の歯ぐきに付着した歯垢を除去し、歯周病や虫歯を予防することが行われている。このフロスを用いた歯面の清掃を一般にフロッシングというが、このフロッシングは、通常、アシスタントによって行われている。
【０００３】
図５は、従来のフロッシング作業の一例を説明するための図で、フロッシングを行うに当り、アシスタントは、周知のように、フロスを所望の長さに切断し、該切断したフロス１を所望の間隔をもって中指に数回巻き付け、その後、所望の間隔Ｄをもって親指と人差し指でつまみ、図６の左側に従来例として示すように、歯（Ｔ1）と歯（Ｔ2）の間に挿入し、歯ぐき部に達したら、一方の歯（図示例の場合、Ｔ1）の歯面にしっかり当て、しっかり当てた状態で上下に何度か移動させて、歯面に付着している歯垢を除去する。
【発明の概要】
【発明が解決しようとする課題】
【０００４】
上述のように、歯科治療において、フロッシング作業に当り、アシスタントはフロスを所望の長さに切断し、切断したフロスを自分の指に巻き付ける等の準備作業をし、フロッシングに当っては、フロスを両手で強く引っ張りながら歯面に強く押し当てて移動させなくてはならず、準備作業に時間を要し、更には、実際のフロッシングに当って、フロスを両手でしっかり引っ張った状態でフロスを移動させなければならず、多大な労力を要する等の問題があった。
【０００５】
本発明は、上述のごとき実情に鑑みてなされたもので、歯科治療におけるフロッシング作業に当り、準備作業に要するアシスタントの時間を短縮し、更には、フロッシングにおけるアシスタントの労力を節減することを目的としてなされたものである。
【課題を解決するための手段】
【０００６】
上記課題を解決するために、請求項１の発明は、モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記各脚部の先端部にフロスを張設固定するためのフロス固定部を有することを特徴としたものである。
【０００７】
請求項２の発明は、請求項１の発明において、前記フロス固定部は、フロスを巻回張架する溝部を有し、該溝部は外周部より巻回軸心方向に向って溝幅が狭くなっており、該溝幅は、軸心近傍においてフロスの直径より狭くなっていることを特徴としたものである。
【０００８】
請求項３の発明は、モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記脚部の先端部に着脱自在に装着固定されるフロス支持固定部材とから成り、該フロス支持固定部材は所定長さのフロスの両端部を支持固定したフロス支持固定部を有し、該フロス支持固定部を前記脚部先端部に着脱自在に装着し得るようにしたことを特徴としたものである。
【０００９】
請求項４の発明は、請求項３の発明において、前記フロスの所定長さは、前記フロス支持固定部を前記脚部先端部に装着した時に、フロスが前記脚部先端部間に張設される長さであることを特徴としたものである。
【００１０】
請求項５の発明は、請求項３又は４の発明において、前記脚部は弾性部材により構成されており、前記フロス支持固定部間は前記脚部先端部間の間隔よりやや短く形成されており、前記フロス支持固定部材を前記脚部先端部に装着する際に、前記脚部を弾性変形させて前記脚部先端部間の間隔を短くして前記フロス支持固定部を前記脚部先端部に装着するようにしたことを特徴としたものである。
【００１１】
請求項６の発明は、モータを内蔵し該モータの回転が該モータの回転軸に対して直角の方向に往復動する運動に変換されるハンドピースに着脱自在に装着されるフロスホルダーであって、該フロスホルダーは、２等辺３角形の２辺を構成する２本の脚部と、該２本の脚部の交点を一体的に固定し前記ハンドピースに着脱自在に装着固定される連結固定部と、前記脚部の先端部間にフロスが固定支持されて張架されていることを特徴としたものである。
【００１２】
請求項７の発明は、請求項６の発明において、前記脚部の長さが異なる複数種のフロスホルダーを準備して有することを特徴としたものである。
【発明の効果】
【００１３】
本発明によると、フロスホルダーに張設するフロスの長さは定まっているので、フロスを予め所定の長さに切断して多数本準備しておくことにより、その都度、フロスを所望長さに切断する必要がなく、また、自分の指等に巻き付ける必要もないので、フロッシング作業を行う前の準備が非常に楽になる。また、フロスが予めフロスホルダーに張設されて準備されている場合には、フロスをフロスホルダーに張設する作業も不要となり、更に、準備作業が楽になる。
【００１４】
更に、本発明によると、フロスホルダーに張設されたフロスは、モータ等の動力によって、往復運動されるので、より効果的にフロッシングを行うことができる。
【図面の簡単な説明】
【００１５】
【図１】本発明による歯科用フロスホルダーがハンドピースに装着されている時の例を説明するための図である。
【図２】本発明による歯科用フロスホルダーの第１の実施例を説明するための図である。
【図３】本発明による歯科用フロスホルダーの第２の実施例を説明するための図である。
【図４】本発明による歯科用フロスホルダーの第３の実施例を説明するための図である。
【図５】フロッシング作業を行う場合の、従来のフロスの使い方を説明するための図である。
【図６】従来のフロッシングの仕方（図の左側）と本発明によるフロッシングの仕方（図の右側）を説明するための図である。
【発明を実施するための形態】
【００１６】
図１は、本発明によるフロスホルダーがハンドピースに装着されている時の例を説明するための構成図で、図中、１０はフロスハンドピースで、該フロスハンドピース１０には、本発明によるフロスホルダー２０が着脱自在に装着される。ハンドピース１０は、オシレートハンドピースとして周知のハンドピースと同等の動作をするもので、ハンドピース１０内にマイクロモータ１１を具備し、該マイクロモータ１１によって回転される回転軸１２の回転を、該回転軸と直交する方向の往復動振動に変換するもので、例えば、オシレートハンドピース、ソーサージタルハンドピース等として知られている。
【００１７】
本発明は、上述のごとき動作をするオシレートハンドピース１０の往復動振動軸に、フロスホルダー２０を着脱自在に装着可能とし、該フロスホルダー２０にフロス３０を張設し、或いは、該フロスホルダー２０にフロス３０を一体的に張設しておき、該フロス３０にて歯間の歯側面や歯間下の歯ぐきに付着した歯垢を除去するようにしたものである。図６の右側は、本発明によるフロスホルダーの使い方を示し、図示のように、フロス３０を歯間（Ｔ2とＴ3の間）に挿入し、ハンドピース１０を押すことによって歯Ｔ2の表面を、引くことによってＴ3の表面を清掃することができる。
【００１８】
（実施例１）
フロスホルダー２０は、２等辺３角形の２辺を構成する２本の脚部２１ａ、２１ｂと、これら２本の脚部２１ａ、２１ｂの交点において、これら２本の脚部２１ａ、２１ｂを一体的に固定するための連結固定部２２を有し、該連結固定部２２がハンドピース１０内の往復振動軸に着脱自在に固定されるようになっている。
【００１９】
脚部２１ａ，２１ｂの先端部には、フロス３０を張架するための溝２３ａ’、２３ｂ’を有する溝付フロス固定部２３ａ、２３ｂを有し、該溝２３ａ’、２３ｂ’内にフロス３０を巻回張架するようにしたものである。
【００２０】
図２は、図１に示したフロスホルダー２０の構成例を示す図で、この実施例は、図２（Ａ）に示すように、フロスホルダー２０とフロス３０（破線にて示す）が別体に構成されており、使用に当り、アシスタントが、フロスホルダー２０にフロス３０を張架して使用するものである。図２（Ｂ）において、（ａ）図は、フロス固定部２３ａ（２３ｂも同じ）を正面（ホルダー１０の軸に平行にするａ方向）から見た図、（ｂ）図は側面（ホルダー本体１０の軸に直交するｂ方向）から見た図で、図示のように、溝２３ａ’（２３ｂ’も同じ）は、フロス３０の張架方向において溝幅が狭くなっており、中心に近い部分では、フロス３０の直径よりも狭くなっている。
【００２１】
従って、溝２３ａ’内にフロス３０を入れて数回巻き付け、強く引くと、フロス３０は溝内に食い込み、フロス３０をしっかり押えることができる。その後、他方のフロス固定部２３ｂ溝にフロスを入れて数回巻き付け、逆方向に強く引っ張ると、フロス３０は、フロス固定部材２３ａ、２３ｂ間にしっかり張架され、これにより、フロッシングを行うことができる。上述のように、図１及び図２に示した実施例は、その都度、フロスホルダー２０にフロス３０を張架して使用するようにした例を示したものであるが、以下の図３、図４に示すように、フロスの張架作業をなくし、アシスタントの張架作業を軽減することも可能である。
【００２２】
（実施例２）
図３は、本発明によるフロスホルダーの他の実施例を説明するための要部構成図で、この実施例は、図１、図２に示したフロス固定部２３ａ、２３ｂ間に予めフロス３０を一体的に張架しておき、このフロス固定部２３ａ、２３ｂを脚部２１ａ、２１ｂの先端部２１ａ’、２１ｂ’に着脱自在に装着するようにしたものである。
【００２３】
この実施例によると、脚部２３ａ、２３ｂの間隔に合せた長さのフロス３０を予め一体的に張設したフロス固定部材（図３中に破線にて示す部材）を多数準備しておき、アシスタントは、このフロス３０を一体的に有するフロス固定部材を脚部２３ａ、２３ｂの先端部に２１ａ’、２１ｂ’に装着するだけで、簡単に、フロス３０をフロスホルダーに装着することができる。この場合、脚部２１ａ、２１ｂを弾性部材にて構成しておくと、フロス固定部材を２３ａ、２３ｂを脚部先端部２１ａ’、２１ｂ’に装脱する場合に、脚部先端２１ａ’、２１ｂ’の間の間隔を押し縮めて短くして装着するようにすると、フロス３０をより強固に張設することができる。
【００２４】
（実施例３）
図４は、本発明によるフロスホルダーの更に他の実施例を説明するための構成図で、この実施例は、フロスホルダー２０にフロス３０を予め一体的に張架したもの（図中、点線で囲んだ部分）を準備しておき、その都度、アシスタントがフロスホルダー全体をハンドピース１０に交換、装着するようにしたものである。この実施例の場合、脚部（２１ａ、２１ｂ）の長さの異なるものを複数準備しておくことが可能であり、アシスタントの使い勝手に応じて、或いは、治療部分に応じて、所望のものを選択して使用することができる。
【符号の説明】
【００２５】
１０…ハンドピース、２０…フロスホルダー、２１，２１ｂ…脚部、２１ａ’，２１ｂ’…脚部先端、２２…連結固定部、２３ａ，２３ｂ…フロス固定部、２３ａ’，２３ｂ’…溝、３０…フロス。
【図１】
2013099445.tif 000003
【図２】
2013099445.tif 000004
【図３】
2013099445.tif 000005
【図４】
2013099445.tif 000006
【図５】
2013099445.tif 000007
【図６】
2013099445.tif 000008